(57)【特許請求の範囲】
【請求項１】
タッチパネル機能を有し、設定項目についての設定値の設定を受け付けるための複数の設定キーを含む設定画面を表示する表示部と、
前記表示部への設定画面の表示制御、及び前記タッチパネル機能により検出された前記表示部に表示した設定画面に対するタッチ操作に応じた処理を実行する制御部と、
前記制御部により前記表示部に二つの設定画面が同時に表示された状態のときに、一方の設定画面に含まれる設定キーが、前記タッチパネル機能により、当該設定画面から他方の設定画面に移動される操作が検出されたとき、当該他方の設定画面に当該設定キーを追加する設定キー編集部と、
前記設定キー編集部により追加された前記設定キーへのタッチ操作が前記タッチパネル機能により受け付けられたとき、当該設定キーに対応する設定項目についての設定値を受け付ける設定値受付部と、を備え、
前記制御部は、異なる複数の設定画面を表示させる指示を受け付けるために当該各設定画面に対応するそれぞれの設定キーを前記表示部に表示させ、
操作者により前記複数の設定キーに対して行われるタッチ操作の内容に応じて、前記複数の設定キーにより表示指示が受け付けられるそれぞれの設定画面について、前記表示部の表示領域における表示面積を算出し、当該算出した各設定画面についての表示面積で当該各設定画面を前記表示部に表示させ、
前記制御部は、前記タッチ操作の内容として、前記各設定キーに対する操作者によるタッチ操作による押下の先後を用い、当該押下の先後に応じて、前記各設定画面の表示面積を算出する電子機器。
【請求項２】
前記設定キー編集部は、前記移動される操作として、前記タッチパネル機能によりドラッグ＆ドロップ操作が検出されたときに、前記他方の設定画面への前記設定キーの追加を行う請求項１に記載の電子機器。
【請求項３】
前記設定キー編集部は、前記移動される操作により前記他方の設定画面に移動された設定キーに対応する設定項目が、当該他方の設定画面で入力される設定項目により実行される機能に利用可能であるか否かを判定し、利用可能であると判断した場合に、当該移動された設定キーを、当該他方の設定画面に追加する請求項１又は請求項２に記載の電子機器。
【請求項４】
タッチパネル機能を有し、設定項目についての設定値の設定を受け付けるための複数の設定キーを含む設定画面を表示する表示部と、
前記表示部への設定画面の表示制御、及び前記タッチパネル機能により検出された前記表示部に表示した設定画面に対するタッチ操作に応じた処理を実行する制御部と、
前記制御部により前記表示部に二つの設定画面が同時に表示された状態のときに、一方の設定画面に含まれる設定キーが、前記タッチパネル機能により、当該設定画面から他方の設定画面に移動される操作が検出されたとき、当該他方の設定画面に当該設定キーを追加する設定キー編集部と、
前記設定キー編集部により追加された前記設定キーへのタッチ操作が前記タッチパネル機能により受け付けられたとき、当該設定キーに対応する設定項目についての設定値を受け付ける設定値受付部と、を備え、
前記制御部は、異なる複数の設定画面を表示させる指示を受け付けるために当該各設定画面に対応するそれぞれの設定キーを前記表示部に表示させ、
操作者により前記複数の設定キーに対して行われるタッチ操作の内容に応じて、前記複数の設定キーにより表示指示が受け付けられるそれぞれの設定画面について、前記表示部の表示領域における表示面積を算出し、当該算出した各設定画面についての表示面積で当該各設定画面を前記表示部に表示させ、
前記制御部は、前記タッチ操作の内容として、前記各設定キーに対する操作者によるタッチ操作による押下位置を用い、当該各設定キーに対する押下位置の相違に応じて、前記各設定画面の表示面積を算出する電子機器。
【請求項５】
前記設定キー編集部は、前記移動される操作として、前記タッチパネル機能によりドラッグ＆ドロップ操作が検出されたときに、前記他方の設定画面への前記設定キーの追加を行う請求項４に記載の電子機器。
【請求項６】
前記設定キー編集部は、前記移動される操作により前記他方の設定画面に移動された設定キーに対応する設定項目が、当該他方の設定画面で入力される設定項目により実行される機能に利用可能であるか否かを判定し、利用可能であると判断した場合に、当該移動された設定キーを、当該他方の設定画面に追加する請求項４又は請求項５に記載の電子機器。
【請求項７】
請求項１乃至請求項６のいずれかに記載の電子機器であって、
用紙に画像を形成する画像形成部を備え、
前記設定値受付部は、前記画像形成部に設定可能な設定項目についての設定値を受け付ける画像形成装置。
【発明の詳細な説明】
【技術分野】
【０００１】
本発明は、機器で実行可能な機能についての設定値を設定する際の操作性を向上させる技術に関する。
【背景技術】
【０００２】
コピー機、プリンター、スキャナー、ファクシミリ装置、及びこれら複数の機能を兼ね備えた複合機等の電子機器では、用紙の選択、原稿読取サイズの設定、印字濃度の設定等の様々な設定項目の設定が可能である。しかし、このように多数の設定項目が存在することにより、操作者は機器使用の度に複数の設定項目について設定値を設定しなければならず、機器操作が煩雑であった。
【０００３】
かかる問題に関して、下記特許文献１には、複数設定キーを設けて、当該複数設定キーが押下されると機器が複数機能設定モードになり、複数機能設定モード中に、例えばコピーやファクシミリ等の機能キーが押下されると、押下された複数のコピーやファクシミリ等の機能についての設定値を一度に設定できる技術が開示されている。
【先行技術文献】
【特許文献】
【０００４】
【特許文献１】特開２０００−３０７８３４号公報
【発明の概要】
【発明が解決しようとする課題】
【０００５】
上記特許文献１に開示された技術によれば、複数機能設定モードにおいて複数の設定キーを同時に押して複数の詳細機能を一度に設定できるが、入力できる設定値は、予め定められた設定キーによるものに限られる。例えば、コピー機能ではページ集約の設定（例えば、「２  ｉｎ  １」等の設定）が使用できるが、スキャン送信機能ではページ集約の設定は、対応する設定キーが用意されていないため、その設定値を入力できない。このため、複数枚の原稿をページ集約してスキャン送信しようとする場合は、例えば、まずコピー機能によりページ集約された原稿を作成し、それを再度スキャンにより読み取って送信する等の作業が必要となり不便である。
【０００６】
本発明は、上記の事情に鑑みてなされたものであり、ある機能を実行させるために用いられる設定項目を、他の機能を実行させるための設定項目として簡単に追加でき、当該他の機能について新たな設定項目の設定値を容易に入力可能にすることを目的とする。
【課題を解決するための手段】
【０００７】
本発明の一局面に係る電子機器は、タッチパネル機能を有し、設定項目についての設定値の設定を受け付けるための複数の設定キーを含む設定画面を表示する表示部と、前記表示部への設定画面の表示制御、及び前記タッチパネル機能により検出された前記表示部に表示した設定画面に対するタッチ操作に応じた処理を実行する制御部と、前記制御部により前記表示部に二つの設定画面が同時に表示された状態のときに、一方の設定画面に含まれる設定キーが、前記タッチパネル機能により、当該設定画面から他方の設定画面に移動される操作が検出されたとき、当該他方の設定画面に当該設定キーを追加する設定キー編集部と、前記設定キー編集部により追加された前記設定キーへのタッチ操作が前記タッチパネル機能により受け付けられたとき、当該設定キーに対応する設定項目についての設定値を受け付ける設定値受付部と、を備え、前記制御部は、異なる複数の設定画面を表示させる指示を受け付けるために当該各設定画面に対応するそれぞれの設定キーを前記表示部に表示させ、操作者により前記複数の設定キーに対して行われるタッチ操作の内容に応じて、前記複数の設定キーにより表示指示が受け付けられるそれぞれの設定画面について、前記表示部の表示領域における表示面積を算出し、当該算出した各設定画面についての表示面積で当該各設定画面を前記表示部に表示させ、前記制御部は、前記タッチ操作の内容として、前記各設定キーに対する操作者によるタッチ操作による押下の先後を用い、当該押下の先後に応じて、前記各設定画面の表示面積を算出するものである。
本発明の別の一局面に係る電子機器は、タッチパネル機能を有し、設定項目についての設定値の設定を受け付けるための複数の設定キーを含む設定画面を表示する表示部と、前記表示部への設定画面の表示制御、及び前記タッチパネル機能により検出された前記表示部に表示した設定画面に対するタッチ操作に応じた処理を実行する制御部と、前記制御部により前記表示部に二つの設定画面が同時に表示された状態のときに、一方の設定画面に含まれる設定キーが、前記タッチパネル機能により、当該設定画面から他方の設定画面に移動される操作が検出されたとき、当該他方の設定画面に当該設定キーを追加する設定キー編集部と、前記設定キー編集部により追加された前記設定キーへのタッチ操作が前記タッチパネル機能により受け付けられたとき、当該設定キーに対応する設定項目についての設定値を受け付ける設定値受付部と、を備え、前記制御部は、異なる複数の設定画面を表示させる指示を受け付けるために当該各設定画面に対応するそれぞれの設定キーを前記表示部に表示させ、操作者により前記複数の設定キーに対して行われるタッチ操作の内容に応じて、前記複数の設定キーにより表示指示が受け付けられるそれぞれの設定画面について、前記表示部の表示領域における表示面積を算出し、当該算出した各設定画面についての表示面積で当該各設定画面を前記表示部に表示させ、前記制御部は、前記タッチ操作の内容として、前記各設定キーに対する操作者によるタッチ操作による押下位置を用い、当該各設定キーに対する押下位置の相違に応じて、前記各設定画面の表示面積を算出するものである。
本発明の別の一局面に係る画像形成装置は、上記した電子機器であって、用紙に画像を形成する画像形成部を備え、前記設定値受付部は、前記画像形成部に設定可能な設定項目についての設定値を受け付けるものである。
【発明の効果】
【０００８】
本発明によれば、ある機能を実行させるために用いられる設定項目を、他の機能を実行させるための設定項目として簡単に追加でき、当該他の機能について新たな設定項目の設定値を容易に入力することが可能になる。
【図面の簡単な説明】
【０００９】
【図１】本発明の一実施形態に係る電子機器としての画像形成装置の構造を示す正面断面図である。
【図２】画像形成装置の主要内部構成を示す機能ブロック図である。
【図３】表示部に表示されるコピー画面を示す図である。
【図４】表示部に表示される送信画面を示す図である。
【図５】コピー画面と送信画面の同時表示の一例を示す図である。
【図６】画像形成装置における設定キーの編集処理を示すフローチャートである。
【図７】コピー画面中の設定キーを送信画面にドラッグ＆ドロップ操作する様子を示す図である。
【図８】ページ編集機能が追加された送信画面を示す図である。
【図９】表示部における表示画面の一例を示す図である。
【図１０】操作者による操作態様に応じて２つの設定画面の表示態様を変更する制御の第１実施形態を示すフローチャートである。
【図１１】コピー画面と送信画面の同時表示の一例を示す図である。
【図１２】コピー画面と送信画面の同時表示の一例を示す図である。
【図１３】操作者による操作態様に応じて２つの設定画面の表示態様を変更する制御の第２実施形態を示すフローチャートである。
【発明を実施するための形態】
【００１０】
以下、本発明の一実施形態に係る電子機器としての画像形成装置について図面を参照して説明する。図１は、本発明の一実施形態に係る電子機器としての画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
画像形成装置１が画像形成動作を行う場合は、上記原稿読取動作により作成された画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１５】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。駆動モーター７０は、画像形成部１２の各回転部材及び搬送ローラー対１９（図１）等に回転駆動力を付与する駆動源である。
【００１６】
表示部４７３は、画像形成装置１が有するコピー機能、送信機能、ファクシミリ機能等についての各種設定項目の設定値を設定するためのコピー画面、送信画面、ファクシミリ画面等の設定画面を表示するデバイスであり、液晶ディスプレイパネル等で構成される。更に、表示部４７３はタッチパネル機能を有しており、当該タッチパネル機能は、表示部４７３に表示された各種設定キーに対する操作者によるタッチ操作を検出して、操作者からの上記設定値の入力を受け付ける。
【００１７】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００及び設定キー編集部１０１を備える。
【００１８】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。制御部１００は、表示部４７３への設定画面の表示を制御し、また、表示部４７３に表示された設定画面に含まれる設定キーの操作を受け付ける。
【００１９】
操作部４７における表示部４７３（図１）はタッチパネルになっており、操作者は画面表示されるキーに触れて画像形成装置１を操作することができる。
【００２０】
設定キー編集部１０１は、制御部１００により表示部４７３に二つの設定画面が同時に表示された状態のときに、一方の設定画面に含まれる設定キーが、タッチパネル機能により検出される操作、例えばドラッグ＆ドロップ操作により、当該設定画面から他方の設定画面に移動されたとき、当該他方の設定画面に当該設定キーを追加する。
【００２１】
設定値受付部１０２は、設定キー編集部１０１により追加された設定キーへのタッチ操作がタッチパネル機能により受け付けられたとき、当該設定キーに対応する設定項目についての設定値を受け付ける。
【００２２】
図３は、表示部４７３に表示されるコピー画面を示す図である。当該コピー画面は、画像形成装置１のコピー機能についての各設定項目の設定値を、操作者から受け付ける際に、表示部４７３に表示される設定画面の一例である。コピー画面には、コピー機能についての各設定項目の設定値を受け付けるための複数の設定キーＫ１１〜Ｋ１８が含まれている。設定キーＫ１１〜Ｋ１８は、それぞれに対応付けられた設定項目、例えば用紙選択や拡大／縮小、濃度等についての設定値の入力をタッチパネル機能により操作者から受け付けるための設定キー（画像）である。
【００２３】
図４は、表示部４７３に表示されるスキャン送信画面を示す図である。当該スキャン送信画面は、画像形成装置１のスキャン送信（以下、単に送信という）機能についての各設定項目の設定値を、操作者から受け付ける際に、制御部１００により表示部４７３に表示される設定画面の一例である。送信画面には、送信機能についての各設定項目の設定値を受け付けるための複数の設定キーＫ２１〜Ｋ２５が含まれる。設定キーＫ１１〜Ｋ１８は、それぞれに対応付けられた設定項目、例えば送信相手先の入力をタッチパネル機能により操作者から受け付けるための設定キー（画像）である。
【００２４】
図５は、コピー画面と送信画面の同時表示の一例を示す図である。制御部１００は、コピー画面及び送信画面からなるコピー＆送信画面を、図５に例を示すようにして、表示部４７３の表示領域を上下に分割し、上部にコピー機能の画面を、下部に送信機能の画面を配置して表示させる。
【００２５】
設定キー編集部１０１は、このように、例えばコピー＆送信画面が表示部４７３に表示されているときに、コピー画面に含まれる例えば、ページ集約に関する設定値の入力を受け付けるための設定キーＫ１６が、タッチパネル機能により検出されるドラッグ＆ドロップ操作で、当該コピー画面から送信画面に移動されてきたときに、当該送信画面に設定キーＫ１６を追加する。設定値受付部１０２は、制御部１００により当該送信画面が表示されているときには、設定キー編集部１０１により追加された上記設定キーに対するタッチ操作がタッチパネル機能により検出されたとき、当該設定キーに対応する設定項目についての設定値を受け付ける。
【００２６】
なお、制御ユニット１０は、ＨＤＤ９２にインストールされているコンピュータープログラムに従った動作により、制御部１００、設定キー編集部１０１、及び設定値受付部１０２として機能する。但し、当該制御部１００、設定キー編集部１０１、及び設定値受付部１０２は、制御ユニット１０によるコンピュータープログラムに従った動作によらず、ハード回路により構成することも可能である。
【００２７】
次に、画像形成装置１における設定画面の編集処理について説明する。図６は、画像形成装置１における設定キーの編集処理を示すフローチャートである。
【００２８】
まず、操作者が画像形成装置１に対して任意の二つの設定画面の表示を要求する指示を操作部４７に入力すると、制御部１００は、当該要求を受け付けて二つの設定画面を表示部４７３に表示させる（Ｓ１）。例えば、操作部４７に配置された図略のコピーキーと送信キーが同時に押されることで、制御部１００は、図５に示したようなコピー＆送信画面を表示部４７３に表示する。
【００２９】
表示部４７３に二つの設定画面が同時に表示された状態において、操作者が一方の設定画面に含まれる設定キーにタッチしてそれを移動させる操作（ここでは、ドラッグ＆ドロップ操作）を行うと、タッチパネル機能により、当該設定キーに対するドラッグ＆ドロップ操作が検出される。
【００３０】
図７は、コピー画面中の設定キーを、送信画面にドラッグ＆ドロップ操作する様子を示す図である。例えば、図７に示すように、操作者がコピー機能の画面中の「ページ集約」キーＫ１６にタッチしてそれを送信機能の画面にドラッグ＆ドロップ操作により移動させると、制御部１００は、操作者の指の動きに合わせて「ページ集約」キーＫ１６の複製キーＫ１６'が送信機能の画面に移動していくように操作者に視認される表示制御を行う。
【００３１】
設定キー編集部１０１は、一方の設定画面に含まれる設定キーが他方の設定画面にドラッグ＆ドロップ操作されたことを検知すると（Ｓ２でＹＥＳ）、当該ドラッグ＆ドロップ操作された設定キーが、移動先の当該他方の設定画面において設定値の入力が可能とされている機能に利用可能であるか否かを判定する。すなわち、設定キー編集部１０１は、当該ドラッグ＆ドロップ操作された設定キーに対応付けられた設定項目が、移動先の設定画面が示す機能に対して適用可能か否かを判断する。例えば、画像形成装置１により実行可能な各機能と、各機能で利用可能な設定項目と当該設定項目入力受付に用いられる設定キーの対応関係が対応テーブルとして予めＨＤＤ９２又は図略の不揮発性メモリー等に保存されている。
【００３２】
設定キー編集部１０１は、例えば当該対応テーブルを参照して（Ｓ３）、上記ドラッグ＆ドロップ操作された設定キーが、移動先の設定画面において設定値の入力が可能とされている機能に利用可能であるか否かを判定する（Ｓ４）。
【００３３】
設定キー編集部１０１は、ドラッグ＆ドロップ操作により移動された上記設定キーが、移動先の設定画面に係る上記機能で利用可能であると判断したとき（Ｓ４でＹＥＳ）、その設定キーを移動先の設定画面に追加する（Ｓ５）。
【００３４】
例えば、上記対応テーブルに、送信機能で利用可能な設定項目として「ページ集約」が記憶され、用紙選択機能は利用可能な設定項目として記憶されていないものとする。この場合、図７に示すように、コピー画面中の「ページ集約」キーＫ１６に対して、操作者がドラッグ＆ドロップ操作を行って送信画面内に移動させ、この操作がタッチパネル機能により検出されると、設定キー編集部１０１は、送信画面に「ページ集約」キーＫ１６'を追加する。
【００３５】
一方、例えば、コピー画面中の「用紙選択」キーＫ１７に対して、操作者がドラッグ＆ドロップ操作を行って送信画面内に移動させ、この操作がタッチパネル機能により検出されても、設定キー編集部１０１は、用紙選択機能は送信機能において利用不可と判断する。設定キー編集部１０１は、コピー画面中の「用紙選択」キーＫ１７が送信画面にドラッグ＆ドロップ操作により移動されても、「用紙選択」キーＫ１７を送信画面には追加しない。
【００３６】
図８は、ページ編集機能が追加された送信画面を示す図である。図７で例示したように、コピー＆送信画面において、送信画面に「ページ集約」キーＫ１６'が追加されると、その後、画像形成装置１において送信画面が表示される場合、図８に示すように、制御部１００は、「ページ集約」キーＫ１６'が追加された送信画面を表示部４７３に表示させる。設定値受付部１０２は、当該追加された「ページ集約」キーＫ１６'へのタッチ操作がタッチパネル機能により受け付けられたとき、「ページ集約」キーＫ１６'に対応する設定項目についての設定値（2in1等）を受け付ける。これにより、操作者は、送信画面では元々用意されていなかったページ集約の設定項目を、スキャン送信機能の設定項目として追加して、その設定値を入力することが可能になる。
【００３７】
以上、説明したように、本実施形態によれば、複数の機能を有する電子機器である画像形成装置１において、ある機能を実行させるために用いられる設定項目を、他の機能を実行させるための設定項目として簡単に追加でき、当該他の機能について新たな設定項目の設定値を容易に入力することが可能になる。
【００３８】
なお、本発明は上記実施の形態の構成に限られず種々の変形が可能である。例えば、図６を用いて説明した上記実施形態では、操作者が画像形成装置１に対して任意の二つの設定画面の表示を要求する指示を操作部４７に入力すると、制御部１００が、当該要求を受け付けて２つの設定画面を表示部４７３に表示させるが（Ｓ１）、制御部１００は、当該２つの設定画面の表示態様を、操作者による操作態様に応じて変化させてもよい。下記に示す第１及び第２実施形態は、図６を用いて説明した上記実施形態と組み合わせて、又は独立して単独で行われる。
【００３９】
例えば、制御部１００は、表示部４７３に、図９に示すスタート画面Ｄ１１を表示させ、当該スタート画面Ｄ１１に対する操作者によるタッチ操作に応じて、上記任意の二つの設定画面の表示を要求する指示を、上記タッチパネル機能を介して受け付ける。図９に示すように、制御部１００により、スタート画面Ｄ１１には、コピー設定キーＢ１と、送信設定キーＢ２が表示される。制御部１００は、操作者によりコピー設定キーＢ１が押下されると、図３に示すコピー画面を表示部４７３に表示させる指示を受け付け、操作者により送信設定キーＢ２が押下されると、図４に示す送信画面を表示部４７３に表示させる指示を受け付ける。
【００４０】
操作者による操作態様に応じて２つの設定画面の表示態様を変更する制御の第１実施形態を説明する。図１０は、操作者による操作態様に応じて２つの設定画面の表示態様を変更する制御の第１実施形態を示すフローチャートである。
【００４１】
制御部１００は、スタート画面Ｄ１１が表示されているときに、コピー設定キーＢ１及び送信設定キーＢ２の２つが同時に押下（すなわち、タッチ操作。以下、同様）されているか、すなわち、当該２つの設定キーが時期を重ねて押下されているかを判断する（Ｓ１１）。制御部１００は、例えばコピー設定キーＢ１及び送信設定キーＢ２の２つが同時に押下されていると判断した場合（Ｓ１１でＹＥＳ）、いずれの設定キーが先に押されたかを、タッチパネル機能により取得された各設定キーの押下時期に基づいて判別する（Ｓ１２）。
【００４２】
続いて、制御部１００は、先に押下された設定キーにより表示指示が入力される設定画面を、表示部４７３の表示領域における上部領域に配置し、後に押下された設定キーにより表示指示が入力される設定画面を表示部４７３の表示領域における下部領域に配置して、当該２つの設定画面を表示部４７３に表示させる（Ｓ１３）。すなわち、制御部１００は、先に表示指示を受け付けた方の設定画面を、表示部４７３の表示領域における上側に表示させる。
【００４３】
例えば、送信設定キーＢ２の方がコピー設定キーＢ１よりも先に押下された場合、制御部１００は、図１１に例を示すように、送信設定キーＢ２の押下により表示指示が入力されることになる送信画面Ｄ１２をコピー画面Ｄ１３よりも、表示部４７３の表示領域における上側に表示させる。
【００４４】
なお、制御部１００は、設定キーが押下された時期の先後に対する、表示部４７３の表示領域における表示の上下関係を、上記とは逆にして２つの設定画面を表示部４７３に表示させるようにしてもよい。
【００４５】
そして、操作者がコピー設定キーＢ１及び送信設定キーＢ２に対するタッチ操作をやめ、制御部１００が、コピー設定キーＢ１及び送信設定キーＢ２が押下されている状態が解除されたと判断した場合は（Ｓ１４でＹＥＳ）、制御部１００は、この解除時点までのコピー設定キーＢ１及び送信設定キーＢ２の各押下時間の比に応じて、送信画面Ｄ１２及びコピー画面Ｄ１３のそれぞれの表示面積を算出する（Ｓ１５）。
【００４６】
例えば、制御部１００は、内蔵タイマー等により、上記コピー設定キーＢ１及び送信設定キーＢ２のそれぞれについて、タッチパネル機能により押下が検出された時点から、タッチ操作の解除時点までの押下時間を計測しておく。制御部１００は、当該押下時間同士の比に対する各画面の表示面積を記憶したテーブルを予め記憶している。制御部１００は、計測されたコピー設定キーＢ１及び送信設定キーＢ２のそれぞれの押下時間から両者の比を算出し、当該テーブルから、算出した比に対応する送信画面Ｄ１２及びコピー画面Ｄ１３の各表示面積を読み出すことで、送信画面Ｄ１２及びコピー画面Ｄ１３の各表示面積を算出する。例えば、当該テーブルには、(1)両者の押下時間の比が６：４であるときは、押下時間が「６」である方の画面の表示面積を表示部４７３の全表示領域の６０％、押下時間が「４」である方の画面の表示面積を表示部４７３の全表示領域の４０％、(2)両者の押下時間の比が５：５であるときは、両方の画面の表示面積が表示部４７３の全表示領域の５０％、として、各画面の表示面積が記憶されている。
【００４７】
制御部１００は、上記のようにして算出した送信画面Ｄ１２及びコピー画面Ｄ１３のそれぞれの表示面積で、当該２つの設定画面を表示部４７３に表示させる（Ｓ１６）。例えば、制御部１００は、送信設定キーＢ２の押下時間が「４」、コピー設定キーＢ１の押下時間が「６」の比をなす場合、制御部１００は、図１２に例を示すように、送信画面Ｄ１２をコピー画面Ｄ１３よりも、大きく表示させる。
【００４８】
次に、操作者による操作態様に応じて２つの設定画面の表示態様を変更する制御の第２実施形態を説明する。図１３は、操作者による操作態様に応じて２つの設定画面の表示態様を変更する制御の第２実施形態を示すフローチャートである。
【００４９】
制御部１００は、スタート画面Ｄ１１が表示されているときに、コピー設定キーＢ１及び送信設定キーＢ２の２つが同時に押下されていると判断した場合（Ｓ２１でＹＥＳ）、操作者による各設定キーの押下位置を、タッチパネル機能により取得された各設定キーの押下位置に基づいて検出する（Ｓ２２）。この押下位置は、例えば、コピー設定キーＢ１の場合、その設定キー表示領域ＡＲ１（図９）の中心位置Ｃｔからの距離である。なお、送信設定キーＢ２の場合も同様である。なお、当該距離は、操作者によるタッチ操作位置を示す、表示部４７３の表示画面における表示領域の座標情報に基づいて制御部１００が算出する。当該座標情報はタッチパネル機能により取得され、制御部１００に出力される。
【００５０】
そして、制御部１００は、上記コピー設定キーＢ１及び送信設定キーＢ２の各押下位置（中心位置Ｃｔからの距離）の比に応じて、送信画面Ｄ１２及びコピー画面Ｄ１３のそれぞれの表示面積を算出する（Ｓ２３）。
【００５１】
例えば、制御部１００は、検出されたコピー設定キーＢ１及び送信設定キーＢ２についての上記各押下位置に基づいて両者の比を算出し、記憶しているテーブルから、算出した比に対応する送信画面Ｄ１２及びコピー画面Ｄ１３の各表示面積を読み出すことにより、送信画面Ｄ１２及びコピー画面Ｄ１３のそれぞれの表示面積を算出する。例えば、当該テーブルには、(1)両者の押下位置の比が６：４であるときは、押下位置が「６」である方の画面の表示面積を表示部４７３の全表示領域の６０％、押下位置が「４」である方の画面の表示面積を表示部４７３の全表示領域の４０％、(2)両者の押下位置の比が５：５であるときは、両方の画面の表示面積が表示部４７３の全表示領域の５０％、として、各画面の表示面積が記憶されている。なお、当該比と各画面の表示面積の関係は逆であってもよい。
【００５２】
制御部１００は、上記のようにして算出した送信画面Ｄ１２及びコピー画面Ｄ１３のそれぞれの表示面積で、当該２つの設定画面を表示部４７３に表示させる（Ｓ２４）。例えば、制御部１００は、送信設定キーＢ２の押下位置が「４」、コピー設定キーＢ１の押下位置が「６」の比をなす場合、制御部１００は、図１２に示すように、送信画面Ｄ１２をコピー画面Ｄ１３よりも、大きく表示させる。
【００５３】
なお、図１３に示したＳ２２〜Ｓ２４の処理は、図１０に示したＳ１１〜Ｓ１４の処理の後に続けて行われるようにしてもよい。この場合、制御部１００により、送信画面Ｄ１２及びコピー画面Ｄ１３が、Ｓ１１〜Ｓ１４の処理で決定された表示位置とされた状態で、Ｓ２２〜Ｓ２４で決定された表示面積で、送信画面Ｄ１２及びコピー画面Ｄ１３が表示部４７３に表示される。
【００５４】
また、図１３に示したＳ２２〜Ｓ２４の処理において、制御部１００が、上記押下位置に代えて、押下面積を用いて、当該Ｓ２２〜Ｓ２４の処理を行うようにしてもよい。この押下面積とは、例えば、コピー設定キーＢ１及び送信設定キーＢ２が操作者により押下されているときにおける操作者による接触面積である。例えば、操作者の指でタッチ操作がコピー設定キーＢ１の設定キー表示領域ＡＲ１に対して行われている場合、当該コピー設定キーＢ１の表示領域内における操作者の指の接触面積をタッチパネル機能が取得して、制御部１００に出力する。
【００５５】
制御部１００は、タッチパネル機能により検出されたコピー設定キーＢ１及び送信設定キーＢ２に対する上記各押下面積に基づいて両者の比を算出し、記憶しているテーブルから、算出した比に対応する送信画面Ｄ１２及びコピー画面Ｄ１３の各表示面積を読み出すことにより、送信画面Ｄ１２及びコピー画面Ｄ１３のそれぞれの表示面積を算出する。例えば、当該テーブルには、(1)両者の押下面積の比が６：４であるときは、押下面積が「６」である方の画面の表示面積を表示部４７３の全表示領域の６０％、押下面積が「４」である方の画面の表示面積を表示部４７３の全表示領域の４０％、(2)両者の押下面積の比が５：５であるときは、両方の画面の表示面積が表示部４７３の全表示領域の５０％、として、各画面の表示面積が記憶されている。制御部１００は、当該算出した表示面積に従って、送信画面Ｄ１２及びコピー画面Ｄ１３の各画面を表示部４７３に表示させる。なお、当該比と各画面の表示面積の関係は逆であってもよい。
【００５６】
これら第１及び第２実施形態によれば、操作者は、コピー設定キーＢ１及び送信設定キーＢ２に対するタッチ操作を異ならせるだけで、表示部４７３の表示領域における送信画面Ｄ１２及びコピー画面Ｄ１３の表示形態を変化させることができ、表示部４７３に、操作者所望の表示形態を簡単な操作で表示させることが可能になる。また、上記第１及び第２実施形態では、２つの設定キーが操作される場合を例にしているが、３つ以上の複数の設定キーが操作される場合でも、制御部１００により、同様に各設定キーに対応する設定画面の表示面積が、上記押下の先後、押下時間、押下位置、又は押下面積に応じて算出され、当該算出した表示面積で当該複数の各設定画面が表示部４７３に表示される。
【００５７】
また、上記実施形態では、本発明に係る電子機器の一実施形態として複合機を用いて説明しているが、これは一例に過ぎず、スマートフォン等の他の電子機器でもよい。また、上記実施形態では、図１乃至図１３を用いて上記実施形態により示した構成及び処理は、本発明の一実施形態に過ぎず、本発明を当該構成及び処理に限定する趣旨ではない。
【符号の説明】
【００５８】
１      画像形成装置
１０    制御ユニット
１２    画像形成部
１３    定着部
１００  制御部
１０１  設定キー編集部
１０２  設定値受付部
４７３  表示部
【図１】
0006323392.tif 000002
【図２】
0006323392.tif 000003
【図３】
0006323392.tif 000004
【図４】
0006323392.tif 000005
【図５】
0006323392.tif 000006
【図６】
0006323392.tif 000007
【図７】
0006323392.tif 000008
【図８】
0006323392.tif 000009
【図９】
0006323392.tif 000010
【図１０】
0006323392.tif 000011
【図１１】
0006323392.tif 000012
【図１２】
0006323392.tif 000013
【図１３】
0006323392.tif 000014